【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
複数の段階情報のうち何れか１の段階情報に対応する表示態様を表示可能な表示手段と、
その表示手段に表示されている前記表示態様を、異なる段階情報に対応する表示態様へと可変させることが可能な表示態様可変手段と、
前記表示態様を可変させるための可変演出を複数回実行可能な期間を少なくとも含む演出期間にて実行される期間演出を実行可能な期間演出実行手段と、を有した遊技機において、
前記演出期間のうち、少なくとも前記可変演出を実行可能な第１期間における第１期間演出の演出態様を設定可能な第１期間演出設定手段と、
前記演出期間のうち、前記第１期間よりも後であって、少なくとも前記可変演出を実行可能な第２期間における第２期間演出の演出態様を設定可能な第２期間演出設定手段と、
前記複数の段階情報のうち、第１段階情報から、その第１段階情報とは異なる第２段階情報へと可変される過程として、第１過程に対応する第１シナリオと、その第１過程とは異なる第２過程に対応する第２シナリオと、を少なくとも含む複数のシナリオが記憶されているシナリオ記憶手段と、
そのシナリオ記憶手段に記憶されている前記複数のシナリオの中から所定のシナリオを決定可能なシナリオ決定手段と、を有し、
前記第１期間演出設定手段は、前記シナリオ決定手段により決定された前記所定のシナリオに基づいて前記第１期間演出の演出態様を設定可能であり、
前記第２期間演出設定手段は、前記第１期間演出中に実行された前記可変演出によって表示された前記表示態様に対応した前記第２期間演出の演出態様を設定可能であり、
前記遊技機は、
前記シナリオ決定手段により決定された前記シナリオの種別に関わらず、前記第１期間における特定タイミングで前記可変演出を実行可能であり、
前記シナリオ記憶手段には、前記第１段階情報から、前記第２段階情報とは異なる第３段階情報へと可変される過程に対応する第３シナリオが記憶されており、
前記第２期間演出設定手段は、前記第１期間演出として前記第１シナリオに対応した前記可変演出が実行された場合と、前記第１期間演出として前記第３シナリオに対応した前記可変演出が実行された場合とで、同一の演出結果となる演出態様を設定可能であり、
前記遊技機は、
判別を実行可能な判別手段と、
その判別手段による前記判別の結果が特定の判別結果となったことに基づいて遊技者に有利となる特典を付与可能な特典付与手段と、を有し、
前記期間演出の演出結果を用いて前記判別手段の判別結果を遊技者に識別させることが可能であり、
前記期間演出実行手段は、前記特定の判別結果に対応する前記期間演出として、前記第１期間中に前記第１シナリオに対応した前記第１期間演出が実行される前記期間演出と、前記第１期間中に前記第３シナリオに対応した前記第１期間演出が実行される前記期間演出と、を実行可能であることを特徴とする遊技機。
【手続補正２】
【補正対象書類名】明細書
【補正対象項目名】０００２
【補正方法】変更
【補正の内容】
【０００２】
パチンコ機等の遊技機において、表示装置において図柄の変動表示が行われ、図柄が予め定められた組み合わせで停止表示されることで、遊技者に有利な当たり遊技が付与される。また、表示装置には、図柄以外にもキャラクタや風景等の様々な画像が表示される。これにより、表示内容を多様化し、興趣向上を図っていた。
【手続補正３】
【補正対象書類名】明細書
【補正対象項目名】０００６
【補正方法】変更
【補正の内容】
【０００６】
この目的を達成するために本発明の遊技機は、複数の段階情報のうち何れか１の段階情報に対応する表示態様を表示可能な表示手段と、その表示手段に表示されている前記表示態様を、異なる段階情報に対応する表示態様へと可変させることが可能な表示態様可変手段と、前記表示態様を可変させるための可変演出を複数回実行可能な期間を少なくとも含む演出期間にて実行される期間演出を実行可能な期間演出実行手段と、を有し、前記演出期間のうち、少なくとも前記可変演出を実行可能な第１期間における第１期間演出の演出態様を設定可能な第１期間演出設定手段と、前記演出期間のうち、前記第１期間よりも後であって、少なくとも前記可変演出を実行可能な第２期間における第２期間演出の演出態様を設定可能な第２期間演出設定手段と、前記複数の段階情報のうち、第１段階情報から、その第１段階情報とは異なる第２段階情報へと可変される過程として、第１過程に対応する第１シナリオと、その第１過程とは異なる第２過程に対応する第２シナリオと、を少なくとも含む複数のシナリオが記憶されているシナリオ記憶手段と、そのシナリオ記憶手段に記憶されている前記複数のシナリオの中から所定のシナリオを決定可能なシナリオ決定手段と、を有し、前記第１期間演出設定手段は、前記シナリオ決定手段により決定された前記所定のシナリオに基づいて前記第１期間演出の演出態様を設定可能であり、前記第２期間演出設定手段は、前記第１期間演出中に実行された前記可変演出によって表示された前記表示態様に対応した前記第２期間演出の演出態様を設定可能であり、前記遊技機は、前記シナリオ決定手段により決定された前記シナリオの種別に関わらず、前記第１期間における特定タイミングで前記可変演出を実行可能であり、前記シナリオ記憶手段には、前記第１段階情報から、前記第２段階情報とは異なる第３段階情報へと可変される過程に対応する第３シナリオが記憶されており、前記第２期間演出設定手段は、前記第１期間演出として前記第１シナリオに対応した前記可変演出が実行された場合と、前記第１期間演出として前記第３シナリオに対応した前記可変演出が実行された場合とで、同一の演出結果となる演出態様を設定可能であり、前記遊技機は、判別を実行可能な判別手段と、その判別手段による前記判別の結果が特定の判別結果となったことに基づいて遊技者に有利となる特典を付与可能な特典付与手段と、を有し、前記期間演出の演出結果を用いて前記判別手段の判別結果を遊技者に識別させることが可能であり、前記期間演出実行手段は、前記特定の判別結果に対応する前記期間演出として、前記第１期間中に前記第１シナリオに対応した前記第１期間演出が実行される前記期間演出と、前記第１期間中に前記第３シナリオに対応した前記第１期間演出が実行される前記期間演出と、を実行可能である。
【手続補正４】
【補正対象書類名】明細書
【補正対象項目名】００１０
【補正方法】変更
【補正の内容】
【００１０】
本発明の遊技機によれば、複数の段階情報のうち何れか１の段階情報に対応する表示態様を表示可能な表示手段と、その表示手段に表示されている前記表示態様を、異なる段階情報に対応する表示態様へと可変させることが可能な表示態様可変手段と、前記表示態様を可変させるための可変演出を複数回実行可能な期間を少なくとも含む演出期間にて実行される期間演出を実行可能な期間演出実行手段と、を有し、前記演出期間のうち、少なくとも前記可変演出を実行可能な第１期間における第１期間演出の演出態様を設定可能な第１期間演出設定手段と、前記演出期間のうち、前記第１期間よりも後であって、少なくとも前記可変演出を実行可能な第２期間における第２期間演出の演出態様を設定可能な第２期間演出設定手段と、前記複数の段階情報のうち、第１段階情報から、その第１段階情報とは異なる第２段階情報へと可変される過程として、第１過程に対応する第１シナリオと、その第１過程とは異なる第２過程に対応する第２シナリオと、を少なくとも含む複数のシナリオが記憶されているシナリオ記憶手段と、そのシナリオ記憶手段に記憶されている前記複数のシナリオの中から所定のシナリオを決定可能なシナリオ決定手段と、を有し、前記第１期間演出設定手段は、前記シナリオ決定手段により決定された前記所定のシナリオに基づいて前記第１期間演出の演出態様を設定可能であり、前記第２期間演出設定手段は、前記第１期間演出中に実行された前記可変演出によって表示された前記表示態様に対応した前記第２期間演出の演出態様を設定可能であり、前記遊技機は、前記シナリオ決定手段により決定された前記シナリオの種別に関わらず、前記第１期間における特定タイミングで前記可変演出を実行可能であり、前記シナリオ記憶手段には、前記第１段階情報から、前記第２段階情報とは異なる第３段階情報へと可変される過程に対応する第３シナリオが記憶されており、前記第２期間演出設定手段は、前記第１期間演出として前記第１シナリオに対応した前記可変演出が実行された場合と、前記第１期間演出として前記第３シナリオに対応した前記可変演出が実行された場合とで、同一の演出結果となる演出態様を設定可能であり、前記遊技機は、判別を実行可能な判別手段と、その判別手段による前記判別の結果が特定の判別結果となったことに基づいて遊技者に有利となる特典を付与可能な特典付与手段と、を有し、前記期間演出の演出結果を用いて前記判別手段の判別結果を遊技者に識別させることが可能であり、前記期間演出実行手段は、前記特定の判別結果に対応する前記期間演出として、前記第１期間中に前記第１シナリオに対応した前記第１期間演出が実行される前記期間演出と、前記第１期間中に前記第３シナリオに対応した前記第１期間演出が実行される前記期間演出と、を実行可能である。
【手続補正５】
【補正対象書類名】明細書
【補正対象項目名】３８４２
【補正方法】変更
【補正の内容】
【３８４２】
１０                        パチンコ機（遊技機）
１１３                      音声ランプ制御装置１１３（期間演出実行手段）
２２２ｃａ                  得点付与シナリオ選択テーブル（シナリオ記憶手段）
Ｓ２８５３                  第１期間演出設定手段
Ｓ２８５４                  第２期間演出設定手段
Ｓ７００８                  シナリオ決定手段